(57)【特許請求の範囲】
【請求項１】
フリンジ咲きの花を有するニチニチソウ（品種登録出願番号第１６８７４号；系統名：エンジェル  チュチュ）。
【請求項２】
フリンジ咲きの花を有し、かつ、雌しべが稔性を有しないニチニチソウ（品種登録出願番号第１６８７４号；系統名：エンジェル  チュチュ）。
【請求項３】
フリンジ咲きの花を有し、かつ、花粉が稔性を有するニチニチソウ（品種登録出願番号第１６８７４号；系統名：エンジェル  チュチュ）。
【請求項４】
フリンジ咲きの花を有し、かつ、雌しべが稔性を有さず、花粉が稔性を有するニチニチソウ（品種登録出願番号第１６８７４号；系統名：エンジェル  チュチュ）。
【請求項５】
フリンジ咲きの花を有し、かつ、雌しべが稔性を有さず、花粉が稔性を有し、花ガラが枯れても落ちないニチニチソウ（品種登録出願番号第１６８７４号；系統名：エンジェル  チュチュ）。
【請求項６】
請求項１ないし請求項５のいずれかのニチニチソウの細胞、器官、組織、植物体、種子又は花粉細胞。
【請求項７】
請求項１ないし請求項５のいずれかのニチニチソウと交配することにより得られる植物、細胞、器官、組織、植物体、種子又は花粉細胞及びこれらの子孫。
【請求項８】
請求項１ないし請求項５のいずれかのニチニチソウを用いて、交配育種または突然変異育種によりフリンジ咲きの花を有するニチニチソウを生産する方法。
【請求項９】
請求項１ないし請求項５のいずれかのニチニチソウを用いて、交配育種または突然変異育種により稔性を有しない花を有するニチニチソウを生産する方法。
【請求項１０】
請求項１ないし請求項５のいずれかのニチニチソウを用いて得られる子孫植物体又はその一部。
【請求項１１】
請求項１ないし請求項５のいずれかのニチニチソウの一部。
【請求項１２】
フリンジ咲きの形質を有し、花粉が受粉能力を有するニチニチソウ（品種登録出願番号第１６８７４号；系統名：エンジェル  チュチュ）の花粉を他のニチニチソウ類の雌しべに受粉させ、後代を取ることにより、フリンジ咲きのニチニチソウを生産する方法。
【請求項１３】
フリンジ咲きの形質を有し、花粉が受粉能力を有するニチニチソウ（品種登録出願番号第１６８７４号；系統名：エンジェル  チュチュ）の花粉を他の通常の花弁を有するニチニチソウ類の雌しべに受粉させることによりＦ１世代において、フリンジの程度の弱い花を有するニチニチソウを選抜する方法。
【請求項１４】
請求項１３において得られたフリンジの程度の弱い花を有するＦ１植物の雌蕊に、同じＦ１世代の個体の花粉または、フリンジかつ不稔の個体の花粉を受粉させることによりＦ２種子を得、この種子を播種して栽培し開花した個体の中からフリンジかつ不稔のニチニチソウ類植物体を選抜する方法。
【発明の詳細な説明】
【技術分野】
【０００１】  本発明は、フリンジ咲きのニチニチソウの育種方法に関するものである。
【背景技術】
【０００２】  ニチニチソウ（旧学名：ビンカ）はマダガスカル、ジャワ、インド、ブラジル原産で亜低木状の多年草である。分類上、キョウチクトウ科カタランツス属（アポシナセ・カタランツスＡｐｏｃｙｎａｓｅａｅ  Ｃａｔｈａｒａｎｔｈｕｓ）に属し、学名はカタランツス・ロゼウスＬＣａｔｈａｒａｎｔｈｕｓ  ｒｏｓｅｕｓ  Ｌ．（旧学名：ビンカ・ロゼアＬ．Ｖｉｎｃａ  ｒｏｓｅａ  Ｌ．）と名づけられている。最近では矮性で大輪多花性の改良品種が出回っている。花色は赤紫、桃、白などで、中心目が濃いのが普通である。【０００３】  花びらの周辺がぎざぎざないし波打つ花はフリンジ咲きの花と呼ばれ、チューリップやパンジー（ビオラ）等では知られている。フリンジ咲きの花は豪華な印象を与え、市場価値の高いものとされている。しかしながら、ニチニチソウの花は周囲が滑らかなものしか無く、フリンジ咲きの花は知られていなかった。そこで、フリンジ咲きの花を持つニチニチソウの作出が望まれていた。【０００４】  また、ニチニチソウの花の開花期間は屋外では通常、数日ないし約１０日程度と短く、古い花は自然に脱落する。これは通常のニチニチソウは稔性があるので、開花後風で揺れたり、虫が花に停まることで受粉するため、花がしおれるためである。このため、風のある室内や、屋外では花持ちが悪いという問題があった。【０００５】  このような問題点を解決するために、他の花では、交配による不稔形質の導入（特許文献１）や重イオンビーム等の突然変異育種等により、花粉もしくは雌しべの受粉能力を無くさせ、開花期間の長い花を育種することが行われている。しかしながらニチニチソウ、特に、フリンジ咲きのニチニチソウにおいてはそのような花粉もしくは雌しべの受粉能力を欠く個体が存在しなかったことから花持ちのいいニチニチソウ、特にフリンジ咲きのニチニチソウの育種が望まれていた。【０００６】  さらに、これらフリンジ咲きの花を有し、開花期間の長い花を有するニチニチソウの花色や草姿のバリエーションのある品種を育種する方法の開発が望まれていた。【０００７】
【特許文献１】特開２００４−０００１０３号公報、３頁
【発明の開示】
【発明が解決しようとする課題】
【０００８】  本発明は、フリンジ咲きのニチニチソウを提供する。また、雌しべに受粉能力の無い、花持ちのよいニチニチソウを提供する。さらに、フリンジ咲きで花持ちのよいニチニチソウ植物の生産方法を提供する。
【課題を解決するための手段】
【０００９】  発明者は鋭意上記課題を解決すべく研究を行った結果、フリンジ咲きのニチニチソウおよびその育種方法を開発した。本発明は以下の観点からなる発明を提供する。【００１０】  第１の観点からは、フリンジ咲きの花を有するニチニチソウが提供される。本発明によれば花がフリンジ咲きとなることにより、花の観賞価値がより高まるという効果が得られる。本明細書において、「フリンジ咲き」とは、花弁の周辺がぎざぎざな形状になる、花弁の周辺に切れ込みが入る、または、花弁の周辺が糸状もしくはひも状の突起となる、といったような花弁の形態をいう。ぎざぎざの形状は鋭利であっても滑らかであってもよく、直線、曲線や糸状、ひも状であってもよい。フリンジ咲きであれば、さらに、スクリュー型であったり、バラ咲き等他の花の形態と組み合わさっていてもよい。花色も限定されない。フリンジの切れ込みの程度は花弁の半径の０．１〜５０％程度、より好ましくは１％〜３０％程度、さらに好ましくは１％〜２０％程度、特に好ましくは２％から１５％程度をいう。【００１１】  次に第２の観点からは、雌しべが稔性を有しないニチニチソウが提供される。雌しべが稔性を有しない花は稔性を有する花に比べ屋外等では、より開花期間が長くなるという効果を有する。【００１２】  次に第３の観点からは、フリンジ咲きの花を有し、かつ、雌しべが稔性を有しないニチニチソウが提供される。本発明によれば、観賞価値が高く、かつ、花持ちの良いニチニチソウ植物体が得られるという効果を有する。本明細書において「花持ちが良い」とは、開花後、風に揺れたり、虫の媒介により受粉することなく、開花期間が長くなることを意味する。無風かつ虫の来ない環境においても通常のニチニチソウに比べて開花期間が長くなることまで意味するものではない。【００１３】  次に第４の観点からは、フリンジ咲きの花を有し、かつ、花粉が稔性を有するニチニチソウが提供される。本発明のニチニチソウの花粉を用いることによりフリンジ咲きの形質を交配により、後代に伝えることができるという効果が獲られる。【００１４】  次に第５の観点からは、フリンジ咲きの花を有し、かつ、雌しべが稔性を有さず、花粉が稔性を有するニチニチソウ植物体が提供される。本発明によれば、観賞価値が高く、かつ、開花期間の長い花を有し、かつ花粉親として使えるニチニチソウ植物体が得られるという効果を有する。本明細書において、「開花期間が長い」とは風または虫により受粉することがなくなり開花期間が延びることを意味し、風が無く、虫のいない環境においても開花期間が長くなることを意味するものではない。【００１５】  次に第６の観点からは、フリンジ咲きの花を有し、かつ、雌しべが稔性を有さず、花粉が稔性を有し、花ガラが枯れても落ちないニチニチソウが提供される。これにより、観賞価値が高く、かつ、開花期間の長い花を有し、かつ花粉親として使え、屋内栽培時に床の掃除の労力が軽減されるという効果を有する。【００１６】  また第７の観点からは、第１〜６の観点のいずれかのニチニチソウの細胞、器官、組織、植物体、種子又は花粉細胞が提供される。本発明によれば植物体の一部分が提供されることから、細胞培養、器官培養、組織培養に用いた��、種子を保存、販売し、花粉により交配し、花粉細胞培養等が可能になるという効果を有する。【００１７】  また第８の観点からは、第１〜６の観点のいずれかのニチニチソウと交配することにより得られる植物、細胞、器官、組織、植物体、種子又は花粉細胞及びこれらの子孫が提供される。本発明によれば交配による後代の有効利用が可能になるという効果が得られる。【００１８】  また第９の観点からは、第１〜６の観点のいずれかのニチニチソウを用いて、交配育種、突然変異育種によりフリンジ咲きの花を有するニチニチソウ植物体を生産する方法が提供される。本発明によればフリンジ咲きの花を有するニチニチソウ植物体の様々なバリエーションを得ることができるという効果を有する。【００１９】  また第１０の観点からは、第１〜６の観点のいずれかのニチニチソウを用いて、交配育種、突然変異育種により稔性を有しない花を有するニチニチソウ植物体を生産する方法が提供される。本発明によれば、フリンジ咲きの花を有し、かつ、稔性を有しないことから開花期間の長いニチニチソウ植物体が得られるという効果を有する。【００２０】  また第１１の観点からは、第１〜６の観点のいずれかのニチニチソウを用いて得られる子孫植物体又はその一部が得られる。本発明によれば、フリンジ咲き及び／または稔性の無い花を有するニチニチソウの後代植物体またはその一部が得られる。本明細書において植物体の一部とは、例えば、葉、茎、花、根、種子等の器官、挿し穂、培養組織、培養細胞、花粉等をいい、完全な植物体でなくその一部分であればよい。【００２１】  また第１２の観点からは、第１〜６の観点のいずれかのニチニチソウ植物体の一部が提供される。本発明により、フリンジ咲き及び／又は開花期間の長い花を有する切り花や、挿し穂、種子等が提供される。【００２２】  また第１３の観点からは、フリンジ咲きの形質を有し、花粉が受粉能力を有するニチニチソウ植物の花粉を他のニチニチソウ類の雌しべに受粉させることにより、フリンジ咲きのニチニチソウを生産する方法が提供される。本発明により交配によるフリンジ咲きの花を有するニチニチソウ植物体の生産が可能になるという効果を有する。【００２３】  また第１４の観点からは、フリンジ咲きの形質を有し、花粉が受粉能力を有するニチニチソウの花粉を他の通常の花弁を有するニチニチソウ類の雌しべに受粉させることによりＦ１世代において、フリンジの程度の弱い花を有するニチニチソウを選抜する方法が提供される。本発明によればフリンジ咲きの花の花粉をフリンジ咲きでないニチニチソウ類の雌蕊に受粉させることにより弱いフリンジ咲きの花を有するニチニチソウが得られる。ここで通常の花弁とはフリンジでない花弁を意味する。【００２４】  また第１５の観点からは、第１４の観点において、得られたフリンジの程度の弱い花を有するＦ１植物の雌蕊に、同じＦ１世代の個体の花粉または、フリンジかつ不稔の個体の花粉を受粉させることによりＦ２種子を得、この種子を播種して栽培し開花した個体の中からフリンジかつ不稔のニチニチソウ類植物体を選抜する方法が提供される。本発明によればフリンジ咲きの花の花粉を用いて作出した弱いフリンジの花を有するＦ１世代の自家受粉���たは他家受粉により、より強いフリンジ形質を示し、かつ不稔の花を有するニチニチソウ類が得られる。
【発明の効果】
【００２５】  本発明によると、フリンジ咲きのニチニチソウ、及びフリンジ咲きでかつ野外等で花持ちのよいニチニチソウが提供される。
【発明を実施するための最良の形態】
【００２６】  以下に本発明の実施形態を説明するが、本発明はこれらに限定されるものではない。【００２７】  発明者はニチニチソウの種子を播種し、交配と選抜を繰り返す過程で、フリンジ咲き、雌性不稔でかつ花粉が稔性を持つニチニチソウの系統（エンジェル  チェチェ）を得た。本明細書において、「雌性不稔」とは雌しべに稔性が無く、不稔であることをいう。このフリンジ咲きで、雌性不稔、かつ花粉が稔性を有するニチニチソウは鑑賞価値が高く、また、雌性不稔であることから自家受粉により花が落ちることがなく花持ちが良いという特徴を有している。【００２８】  このニチニチソウ（エンジェル  チェチェ）は指し穂により栄養増殖することができる。【００２９】  このニチニチソウ（エンジェル  チェチェ）の花粉は稔性を有しており、この花粉を用いて、野生のニチニチソウ、市販品種のニチニチソウ、育種母本のニチニチソウやその近縁の交配可能な植物等の花の雌しべに受粉させることができる。かかる交配により、Ｆ１世代で弱いフリンジ咲きのニチニチソウを得ることができる。この場合、花色の異なる品種と交配することにより、種々のフリンジ咲きでかつ色変わりの品種を育種することもできる。また、草姿の異なる品種と交配することによってもフリンジ咲きでかつ草姿の異なる品種を育種することもできる。【００３０】  このＦ１世代で良い形質の植物体が得られる場合もあり、その場合には栄養繁殖により増殖して販売することもできる。また、親植物の組み合わせによっては、Ｆ１世代がほぼ全てフリンジ咲きの形質を有する場合もあり、その場合にはＦ１種子を販売することも可能である。【００３１】  また、Ｆ１世代は雄しべのみでなく、雌しべも稔性を有していることから、Ｆ１の自家受粉によりＦ２種子を得ることもできる。このＦ２種子を播種し、生育させて得たＦ２世代植物から色変わり品種等の有用形質を有する品種を育種、選抜することもできる。【００３２】  また、矮性や、大輪、耐病性等の有用形質を持つ品種と交配することにより、これらの有用形質を持つフリンジ咲きや不稔の品種を育種することも可能である。【００３３】  このＦ１世代は雌しべも稔性を有していることから、Ｆ１個体を自家受粉させることでＦ２種子を得ることができる。Ｆ２種子を播種してＦ２世代の植物体を得、このＦ２個体の中からフリンジ咲きでかつ、雌性不稔の植物体を選抜することができる。このフリンジ咲きでかつ、雌性不稔の植物体は不稔であるため、自家受粉して花落ちすることがなく、開花期間が長い。また、花粉は稔性を持つため、さらに交配育種を行うことができる。【００３４】  交配により得られた雌性不稔の個体は栄養増殖により増殖できるが、この場合、ウイルス病の被害を防止するために茎頂培養をしてウイルスフリー化することもできる。茎頂培養は当業者に周知の方法で行うことができる。すなわち、ニチニチソウ植物体の頂芽または脇芽を含む茎を次亜塩素酸水溶液（有効塩素濃度１％）中で５分〜１５分間滅菌し、その後、滅菌水で４回程度洗浄して次亜塩素酸を十分除去する。この茎の茎頂を実体顕微鏡を用いて切り出し、ホルモンフリーのムラシゲ・スクーグ（ＭＳ）培地（ショ糖３％、ｐＨ５．６。ジェランガム０．２５％。品種により、オーキシンやサイトカイニンを０．０５〜０．１ｐｐｍ含有していてもよい）に置床し、暗条件で３日〜１週間培養後、明条件で培養する。芽が十分伸長すれば、ホルモンを含まないＭＳ培地（１／２倍〜１倍の濃度、ショ糖３％、ｐＨ５．６、ジェランガム０．２５％）に置床し、発根させる。ゲルは寒天でも可能だが、ジェランガムを用いた方が後の操作が容易である。この場合、イソブチル酪酸を０．０５〜０．１ｐｐｍ含有するＭＳ培地（ショ糖３％、ｐＨ５．６、ジェランガム０．２５％）を用いても良い。十分発根したら寒天またはジェランガムを十分洗い落とし、バーミキュライトまたはフロリアライトに移植し、ミスト室で馴化させるか、徐々に湿度を保つ手段（例えば、培養容器やビニール覆い等）の開放の度合いを増やして湿度を落とすようにして馴化させる。純化した植物は通常の栽培土に移植して植物体を得ることができる。これによりウイルスフリーの苗が得られる。このウイルスフリー苗は網付きの２重扉から４重扉の温室で栽培維持するとともに、無菌苗としても維持するのが好ましい。【００３５】  フリンジ咲きでかつ、雌性不稔のニチニチソウは通常のニチニチソウと異なり、花ガラが落ちないため、屋内で栽培しても床に落ちた花ガラを集める必要がなく、栽培が容易である。また、窓際等日当たりの良い室内に置くことで栽培することもできるという利点も有している。【００３６】  フリンジ咲きで雌性不稔のニチニチソウは挿し芽により増殖できるが、これにより増殖した個体への変異処理により、新規な花色や形態を有するニチニチソウを育種することもできる。これにより、フリンジ咲きまたは雌性不稔の形質を保持したままさまざまなバリエーションの個体を得、それを挿し芽により増殖することで有用な形質を持つ突然変異個体を得ることができる。ここで、変異処理とは、薬剤、例えばニトロソグアニジン、エチルメタンスルホン酸等の変異原性を有する薬剤による処理や、ガンマ線等の放射線による処理、重イオンビームによる処理等が含まれるがこれらに限られない。ニトロソグアニジンやエチルメタンスルホン酸を用いる場合には適当な濃度の希釈液を直接、植物体の芽の部分に塗布する方法や、挿し芽をする際に芽を含む部分を適当な濃度の変異原を含む液体に数分ないし数十分浸漬し、変異原物質を取り込ませた後、挿し芽をして発根させ、通常の栽培を行い、優良な形質を持ったものを選抜すればよい。変異原を含む液体の変異原の濃度、処理時間は、被処理物の生残率が例えば１％〜５％程度になるように予備試験をして決めればよい。【００３７】  ガンマ線照射は放射線育種場等で線源からの距離を数段階から十数段階とり、適当な個体数を植えて毎日ガンマ線を３０分程度照射し、変異を導入する。この条件での栽培を続けることで種々の変異の入ったニチニチソウが得られる。これらのうち優良形質を持つものを選抜し、交配を繰り返して形質を固定するか、そのまま、栄養増殖により増殖させ販売することもできる。あるいは、培養組織（多芽体等）、種子、節（芽を含む茎）等を当業者に周知の方法でガンマ線照射し、変異株を得ることもできる。【００３８】  重イオンビーム処理はシャーレ等に種子または節等を重ならないように���べ、理化学研究所等の施設にある重イオンビーム発生装置により重イオンビームを照射する。この場合、予備実験により、生残率が例えば１％〜５％程度になる条件を決めてから本実験を行う。照射した種子を播種し、または芽を含む茎を挿し芽し栽培して優良個体を選抜する。処理する対象は多芽体等の組織培養物でもよく、この場合は再分化、発根を経て馴化させる。選抜により得られた優良個体は交配を繰り返して形質を固定してもよいし、挿し芽により増殖させ、そのまま販売することもできる。【００３９】  また、変異処理はフリンジ咲きで雌性不稔の個体から作成した組織培養物を用いることもできる。フリンジ咲きで雌性不稔の個体の一部を当業者に周知の方法、例えば、次亜塩素酸で５分〜１５分程度処理し、十分多量の滅菌水で４回程度洗った後、ＭＳ培地等に置床して増殖させる。このものをニトロソグアニジン、ニトロソウレア、エチルメタンスルホン酸（ＥＭＳ）等の変異原性を有する薬剤で適当な時間、例えば、細胞の９０％〜９９％が死滅する条件で処理することにより、変異した細胞を得、これを再分化させることで植物体を得ることができる。あるいは当業者に周知の方法で組織培養を経ることによりｓｏｍａｃｌｏｎａｌ  ｖａｒｉａｔｉｏｎを得ることもできる。これらの方法により得られた変異植物は交配により固定させるか、そのまま栄養繁殖により増殖し、販売することもできる。
【実施例１】
【００４０】  以下に実施例により本発明を説明するが、本発明は以下の実施例に限定されるものではない。【００４１】  市販のニチニチソウのピンク種の種子を約５０００粒播種し、奈良県桜井市東田２０１番地の発明者の自宅周辺の温室で通常の方法で栽培し、発明者の持つ無名実生も含めて種々の組み合わせの交配を５世代程度繰り返したところ、薄いピンク色のフリンジ咲きのニチニチソウが１株得られた。この株を元にさらに市販の色の濃い品種と交配し選抜を繰り返すことにより、フリンジ咲きで雌しべの退化した不稔のニチニチソウ植物体の系統が得られた。この系統をエンジェル  チュチュと名づけた（この植物体については発明者に連絡すれば分譲を保証する。このエンジェル  チュチュは品種登録出願済みである。品種登録出願番号は、第１６８７４号である。）この植物体はフリンジ咲きであるだけでなく、雌性不稔の形質も有しており、花持ちがよく、花が枯れても花ガラが落ちないという形質を有していた。また、花がつぼみ、あるいは開花直後には花弁の一部に緑色の部分が残る花が観察された。この緑の部分は完全に開花すると無くなり、花全体がピンク色になった。そこで、この植物体を挿し芽により増殖して以下の実験に用いた。挿し芽の方法は当業者に周知の方法で行った。すなわち、頂芽を含む挿し穂または、葉を２枚から４枚程度つけた節の挿す側に発根剤、例えば、イソブチル酪酸等を薄く付着させ、バーミキュライト等に挿し芽し、発根するまでバーミキュライトを乾燥させずに保持する。ミスト室で発根させてもよい。発根後は通常の栽培土に鉢上げして当業者に周知の方法で栽培すればよい。【００４２】（交配実験）
図１は、本発明に係るフリンジ咲きニチニチソウの交配育種のフローを示している。市販品種１３品種を当業者に周知の方法で栽培し、開花数時間前につぼみをはさみで切り開き、内部の雌しべに前記フリンジかつ雌性不稔のニチニチソウ（品種‘エンジェル  チュチュ’）のおしべの葯の花粉を付着させた。そのまま種子ができるまで栽培し、種子を得た。この種子（Ｆ１種子）を播種し、栽培したところ、１３品種全てについては弱いフリンジ咲きの花が咲いた。フリンジ咲きとなる確率は品種により変動したが、実験した全ての品種でＦ１個体の９０％以上がフリンジ咲きの形質を示した（下記表１を参照）。Ｆ１個体には雌性不稔の形質は認められなかった。花色については親に近いパターンのものもあれば、親とは異なる花色になるもの、親と同じ花色と異なる花色に分離するもの等いくつかのパターンがあった。したがって、フリンジ咲きでかつ雌性不稔の花の花粉を市販品種等に受粉させることにより、Ｆ１世代において弱いフリンジ形質を有し、色変わりのニチニチソウ品種を育種できた。このＦ１世代の花粉と雌しべは両方とも稔性を有していた。【００４３】
0004062356.tif 000002
【００４４】  このＦ１個体について自家受粉して種子を取り、Ｆ２種子を得た。この種子を播種し、発芽した実生４０８個体を鉢上げして栽培し、開花させたところ、少なくとも１個体がフリンジ咲きでかつ、雌性不稔の形質を示した。すなわち、フリンジ咲きで雌性不稔の親の花粉を市販品種に交配させると弱いフリンジ咲きで雌しべも稔性を有するＦ１世代が得られ、このＦ１世代を自家受粉させることによりＦ２個体の４０８個体中、少なくとも１個体が元のフリンジ咲きでかつ雌性不稔の形質を示した。すなわち、フリンジ咲きでかつ雌性不稔のニチニチソウが育種できた。【００４５】（色変わり品種の育種）
市販品種‘ペパーミント’、‘スターダストオーキッド’、‘パシフィカコーラル’、‘ベラルノブルー’、‘イエローマジック’の花にフリンジかつ雌性不稔の花（品種‘エンジェル  チュチュ’）の花粉を受粉させ、Ｆ１種子を得た。このＦ１種子を播種し栽培して受粉に用いた。すなわち、これらのＦ１種子の雌蕊に下記表２の組み合わせで花粉を受粉させ、Ｆ２種子を得た。このＦ２種子を播種し栽培して開花させた。その結果、フリンジかつ不稔の花を有するニチニチソウの花の色変わりが多数得られた。すなわち、下記表３に示すように、赤、ピンク、紫、クリーム色等の種々の色変わりで、全体が着色したもの、周辺部が着色したもの、内部が着色したもの、中心の目が黄色のもの、赤色のもの、緑色のもの等種々のパターンの花を持つニチニチソウが得られた。また、この際、Ｆ１個体の自家受粉の場合はフリンジかつ不稔：正常花の割合はほぼ１：３、Ｆ１個体にフリンジかつ不稔の花（品種‘エンジェル  チュチュ’）の花粉を受粉させたものは、フリンジかつ不稔：正常花の割合はほぼ１：１の割合であった。下表２に、得られた色変わりの花色と色のパターンを示す。図２〜６は得られた花の写真である。なお、パターン３、９、１０、１５、１７は上記以外の品種との交配のＦ２種子より得られたものである。【００４６】
0004062356.tif 000003
0004062356.tif 000004
（数字の後の品種名はフリンジの花（品種‘エンジェル  チュチュ’）の花粉を受粉させた品種を示し、表２の左端のカラムの数字は上記品種にフリンジ（品種‘エンジェル  チュチュ’）の花粉を受粉させたＦ１個体の番号を意味する。表２の一番上のパターン番号は花の色のパターンを表している。花の色のパターンについては表３を参照。）【００４７】
0004062356.tif 000005
表中、色の前の数字は日本園芸植物標準色票（農林水産省編、植物標準色票編集委員会編集、財団法人日本色彩研究所発行）によるカラーチャートの番号を示す。【００４８】（花持ち試験）
フリンジかつ不稔の花を有するニチニチソウ（品種‘エンジェル  チュチュ’）と通常の稔性を有するニチニチソウ品種‘パシフィカ・ピンク’用いて花の日持ちに関する実験を行った。発明者の野外の圃場においてニチニチソウを栽培し、開花した花が何日間咲き続けるかを観察した。開花日に花のついた枝に開花日を記入したテープを巻き付け、毎日観察して花のしおれた日を記録した。各２０ポットを温室内で窓を全開し昆虫や風が入る条件下でテストし、パシフィカは花落ち、フリンジはしおれ（フリンジは花落ちしないから）で、開花時からの日をカウントした。
試験は各品種につき２０個の花を観察し、２００５年３月２８日から４月１３日の間に行った。その結果を表４に示す。表に示すように稔性を有するニチニチソウは開花４日後頃から花がしおれるものが出現し、その後、７日をピークとして１２日目までに全ての花がしおれていくのが観察された。しかし、フリンジかつ不稔のニチニチソウについては１２日目をピークにしおれる日が分布し、稔性を有するニチニチソウよりも花持ちがよいことがわかった。稔性を有するニチニチソウにおいてしおれる日が９日間にわたって分布しているのは風や虫による受粉にばらつきがあるためと考えられる。これに対し、稔性のないフリンジ咲きのニチニチソウは１２日を中心に比較的まとまった分布を示しており、これらの分布は個体差によるものと考えられる。【００４９】
0004062356.tif 000006
表中の下２段の数字は該当する日にしおれた花の数を示す。【００５０】  図２〜６にフリンジ咲きニチニチソウの花の写真を示しているが、ここで説明を補足する。図２〜４のフリンジ咲きニチニチソウの花は、５枚の花弁の間が透けないほどに重なって咲いているのに対し、図５と図６のフリンジ咲きニチニチソウの花は、各花弁のねじれてスクリュー状の形を形成している。
図３に示すフリンジ咲きニチニチソウの花は、花弁のエッジに２〜５ｍの色合いが存在し、観賞の趣きが高い。
図７にフリンジ咲きニチニチソウ全体を示すが、１つのポットに花数が多く、香りがない。
図２〜７からも、本発明に係るフリンジ咲きニチニチソウの花は、従来のニチニチソウの花弁のような丸弁の形状とは異なり、花びらの周辺がぎざぎざな形状を示していることが理解されよう。
図８と図９に、従来のニチニチソウ（既品種のニチニチソウ）の花形の種類と花弁先端の形状を示す。既品種のニチニチソウの花形の種類としては、花弁間の丸弁の隙間の有無により、図８の（ａ）隙間無し，（ｂ）隙間有りの２種類に分けられている。また、既品種のニチニチソウの花弁先端の形状は、（ａ）鋭形（ａｃｕｔｅ），（ｂ）微突形（ｍｕｃｒｏｎａｔｅ），（ｃ）鈍形（ｏｂｔｕｓｅ）の３種類に分けられている。
図１０に、本発明に係るフリンジ咲きニチニチソウの花形・花弁先端の形状の模式図を示すが、既品種のニチニチソウと花形・花弁先端の形状が大きく異なるのが理解できよう。ここに、本発明に係るフリンジ咲きニチニチソウの新規性があるといえる。
【図面の簡単な説明】
【００５１】［図１］フリンジ咲きニチニチソウの交配育種
［図２］フリンジ咲きニチニチソウの色変わり品種の花の写真１
［図３］フリンジ咲きニチニチソウの色変わり品種の花の写真２
［図４］フリンジ咲きニチニチソウの色変わり品種の花の写真３
［図５］フリンジ咲きニチニチソウの花（花形がスクリュー状）の写真４
［図６］フリンジ咲きニチニチソウの花（花形がスクリュー状）の写真５
［図７］フリンジ咲きニチニチソウの写真６
［図８］既品種のニチニチソウの花形の種類
［図９］既品種のニチニチソウの花弁先端の形状
［図１０］本発明に係るフリンジ咲きニチニチソウのの花形・花弁先端の形状
【図１】
0004062356.tif 000007
【図２】
0004062356.tif 000008
【図３】
0004062356.tif 000009
【図４】
0004062356.tif 000010
【図５】
0004062356.tif 000011
【図６】
0004062356.tif 000012
【図７】
0004062356.tif 000013
【図８】
0004062356.tif 000014
【図９】
0004062356.tif 000015
【図１０】
0004062356.tif 000016